(57)【要約】【目的】きわめて機能的な働きをする携帯端末機器を用いてゴルフコースメンテナンスに必要な情報を瞬時に簡単に取得し、ゴルフコースの状態情報をデータベース化して管理維持がスムーズに行えるゴルフコースのメンテナンスシステムの提供を目的とする。【構成】複数のゴルフコースのメンテナンス情報を管理するサーバコンピュータと、メンテナンス情報を送受信する複数のメンテナンス情報送受信端末と、を有し、メンテナンス情報送受信端末の有する設備状態把握部は、設備トラブルの発生位置を把握する手段等を有し、サーバコンピュータの有するゴルフコース毎の設備状態管理部は、各ゴルフコースの設備状態を保存管理する手段と、メンテナンス情報送受信端末から送信された設備トラブル情報を取得する手段と、設備トラブルに対応する処置方法を選択する手段等を有する、ことを特徴とする。【選択図】                図１
2009217697.tif 000002
【特許請求の範囲】
【請求項１】
複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記メンテナンス情報送受信端末は、ゴルフコースの設備状態把握部を有し、
該設備状態把握部は、コース上に発生した設備トラブルの発生位置を把握する手段と、把握した発生位置での設備トラブルの画像を取得する手段と、前記設備トラブルに関する音声あるいは文字によるトラブル状態説明情報を入力する手段と、前記把握した発生位置情報、取得した設備トラブルの画像情報並びに前記入力した設備トラブルに関する音声あるいは文字によるトラブル状態説明情報とを含む設備トラブル情報を送信する手段と、有し、
前記サーバコンピュータは、ゴルフコース毎の設備状態管理部を有し、
該設備状態管理部は、各ゴルフコースの設備状態を保存管理する手段と、前記メンテナンス情報送受信端末から送信された設備トラブル情報を取得する手段と、取得された設備トラブル情報と前記設備トラブル情報のあった該当箇所での保存された設備管理情報とを比較する手段と、前記比較結果に基づき設備トラブルに対応する処置方法を選択する手段と、有する、
ことを特徴とするゴルフコースメンテナンスシステム。
【請求項２】
複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記サーバコンピュータ及び複数のメンテナンス情報送受信端末にはＧＰＳ機能が搭載されてなり、
前記メンテナンス情報送受信端末は、ゴルフコースの設備状態把握部を有し、
該設備状態把握部は、コース上に発生した設備トラブルの発生位置を把握する手段と、把握した発生位置での設備トラブルの画像を取得する手段と、前記設備トラブルに関する音声あるいは文字によるトラブル状態説明情報を入力する手段と、前記把握した発生位置情報、取得した設備トラブルの画像情報並びに前記入力した設備トラブルに関する音声あるいは文字によるトラブル状態説明情報とを含む設備トラブル情報を送信する手段と、有し、
前記サーバコンピュータは、ゴルフコース毎の設備状態管理部を有し、
該設備状態管理部は、各ゴルフコースの設備状態を保存管理する手段と、前記メンテナンス情報送受信端末から送信された設備トラブル情報を取得する手段と、取得された設備トラブル情報と前記設備トラブル情報のあった該当箇所での保存された設備管理情報とを比較する手段と、前記比較結果に基づき設備トラブルに対応する処置方法を選択する手段と、有する、
ことを特徴とするゴルフコースメンテナンスシステム。
【請求項３】
前記複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記メンテナンス情報送受信端末は、ゴルフコースの芝状態把握部を有し、
該芝状態把握部は、コース上に発生した芝トラブルの発生位置を把握する手段と、把握した発生位置での芝トラブルの画像を取得する手段と、前記芝トラブルに関する音声あるいは文字によるトラブル状態説明情報を入力する手段と、前記把握した発生位置情報、取得した芝トラブルの画像情報並びに前記入力した芝トラブルに関する音声あるいは文字によるトラブル状態説明情報とを含む芝トラブル情報を送信する手段と、有し、
前記サーバコンピュータは、ゴルフコース毎の芝状態管理部を有し、
該芝状態管理部は、各ゴルフコースの芝状態を保存管理する手段と、前記メンテナンス情報送受信端末から送信された芝トラブル情報を取得する手段と、取得された芝トラブル情報と前記芝トラブル情報のあった該当箇所での保存された芝管理情報とを比較する手段と、前記比較結果に基づき芝トラブルに対応する処置方法を選択する手段と、有する、
ことを特徴とするゴルフコースメンテナンスシステム。
【請求項４】
前記複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記サーバコンピュータ及び複数のメンテナンス情報送受信端末にはＧＰＳ機能が搭載されてなり、
前記メンテナンス情報送受信端末は、ゴルフコースの芝状態把握部を有し、
該芝状態把握部は、コース上に発生した芝トラブルの発生位置を把握する手段と、把握した発生位置での芝トラブルの画像を取得する手段と、前記芝トラブルに関する音声あるいは文字によるトラブル状態説明情報を入力する手段と、前記把握した発生位置情報、取得した芝トラブルの画像情報並びに前記入力した芝トラブルに関する音声あるいは文字によるトラブル状態説明情報とを含む芝トラブル情報を送信する手段と、有し、
前記サーバコンピュータは、ゴルフコース毎の芝状態管理部を有し、
該芝状態管理部は、各ゴルフコースの芝状態を保存管理する手段と、前記メンテナンス情報送受信端末から送信された芝トラブル情報を取得する手段と、取得された芝トラブル情報と前記芝トラブル情報のあった該当箇所での保存された芝管理情報とを比較する手段と、前記比較結果に基づき芝トラブルに対応する処置方法を選択する手段と、有する、
ことを特徴とするゴルフコースメンテナンスシステム。
【請求項５】
前記サーバコンピュータは、各ゴルフコースのメンテナンス履歴を保存する手段と、前記トラブルに対応する処置方法を選択する手段により選択された処置方法を履歴として更新する手段と、を有する、
ことを特徴とする請求項１、請求項２、請求項３または請求項４記載のゴルフコースメンテナンスシステム。
【請求項６】
前記メンテナンス情報送受信端末は、ゴルフコースの管理状態確認部を有し、
該ゴルフコースの管理状態確認部は、予め様式化された日報記録あるいは月報記録をデータとして保存する保存手段と、前記日報記録あるいは月報記録に設けられた確認チェック項目にチェック入力する手段と、前記各確認チェック項目にチェック入力された日報記録あるいは月報記録のデータをサーバコンピュータに送信する手段と、有し、
前記サーバコンピュータは、送信された各ゴルフコース毎の日報記録あるいは月報記録を一括管理する一括管理手段を有する、
ことを特徴とする請求項１、請求項２、請求項３、請求項４または請求項５記載のゴルフコースメンテナンスシステム。
【発明の詳細な説明】
【技術分野】
【０００１】
本発明は、ゴルフコースメンテナンスシステムに関するものである。
ゴルフ場において、例えばGPS機能を搭載した複数の携帯端末、あるいはGPS機能を搭載しないタイプの携帯端末であったとしても、当該携帯端末を用い、該携帯端末によってゴルフコースのメンテナンスに必要な情報を取得すると共に、当該メンテナンス情報を管理するメンテナンス情報サーバコンピュータに瞬時に送信出来る様にし、前記メンテナンス情報管理サーバコンピュータ側では前記メンテナンス情報をデータベースとして蓄積し、該当のゴルフコースの状態をデータ化し、さらにはコースメンテナンスの現場や管理側で前記メンテナンス情報を共有できるようにし、もって効率的なゴルフコースメンテナンスが行えるようにしたものである。
【背景技術】
【０００２】
従来、ゴルフ場においてゴルフコースの最適なプレイコンディションを維持するためには、日々の管理維持作業によるこまめで的確なコースメンテナンス作業が必要となっている。
そして、日々の管理維持作業によって、ゴルフコースの障害や異常を発見した場合には、メンテナンスに伴うゴルフコースの改修作業さえも必要となることがある。
【０００３】
ここで、ゴルフコースの修理作業者でもあるゴルフコース管理者には、一般的に、管理するゴルフコースにおいて、いかなる程度のコースメンテナンスが必要なのかなどメンテナンスの程度やゴルフコース維持管理、ゴルフコースの改修作業についての熟練した技術と勘が必要不可欠とされている。
さらに、ゴルフコース改修作業、ゴルフコースメンテナンス作業のための調査あるいは点検作業は、ゴルフコースの最適なゴルフプレイコンディション維持のため日常的に頻繁に必要とされるものである。
【０００４】
そして、確実な改修作業やメンテナンス作業を行うにあたっては、過去の管理履歴すなわち、以前病気が発生したコース箇所や該当の病害虫の情報、さらには該当箇所において以前に行われた整備情報などが要求されるものとなる。
また、近年では継続的にゴルフコースの的確かつ効率的なコンディション維持を図るために、特にゴルフコース管理履歴情報の蓄積とその共有化が要望されているのである。
【特許文献１】特開２００７−２５６９９６号公報
【発明の開示】
【発明が解決しようとする課題】
【０００５】
本発明は、前記従来の課題や要望に対処すべく創案されたものである。
近年、GPS機能、すなわち地球上の所定位置における現在位置を調べる衛星測位システム機能を利用した携帯端末、すなわち、ＧＰＳ衛星の電波を受信し、その受信した信号から、現在プレイ中の地上位置情報などを取得すると共に、該現在地上位置情報を基に様々なゴルフプレイに関する情報を生成し、それらの情報をゴルフプレーヤーのプレイに反映させるいわゆるハイテク型ゴルフ情報送受信用携帯端末が次々と開発されるに至っている。
さらには、ＧＰＳ衛星電波が受信でき、いわゆるＧＰＳ機能が搭載された一般の携帯電話に、ゴルフプレイに関する情報ソフトを搭載し、この携帯電話をゴルフ情報送受信装置として使用するなどの提案もなされるに至っている。
【０００６】
そこで、本件発明者らは、前記の携帯端末や送受信装置をさらに開発して最善なシステムとすべく、ＧＰＳ衛星電波受信に伴う現在地上位置情報の取得と共に、あるいはＧＰＳ機能が搭載されておらず、現在位置情報が取得できないタイプのものであったとしても、他のゴルフコースなどに関する情報取得や入力が簡単に行えることも含めきわめて機能的な働きをする携帯端末機器を用いてゴルフコースメンテナンスに必要な情報を瞬時に簡単に取得し、この情報データをサーバコンピュータに送信し、サーバコンピュータ側ではそれらの情報をデータベースとして蓄積でき、もってゴルフコースの状態情報をデータベース化して管理維持がスムーズに行えるゴルフコースのメンテナンスシステムの提供を目的とし、また、そのコースメンテナンスの現場や管理者側でそれらの情報を共有出来ると共に、より効率的なコースメンテナンスが行なえ、さらにはコース状態情報を一元管理できるゴルフコースのメンテナンスシステムを提供することを目的とするものである。
【課題を解決するための手段】
【０００７】
本発明によるゴルフコースのメンテナンスシステムは、
複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記メンテナンス情報送受信端末は、ゴルフコースの設備状態把握部を有し、
該設備状態把握部は、コース上に発生した設備トラブルの発生位置を把握する手段と、把握した発生位置での設備トラブルの画像を取得する手段と、前記設備トラブルに関する音声あるいは文字によるトラブル状態説明情報を入力する手段と、前記把握した発生位置情報、取得した設備トラブルの画像情報並びに前記入力した設備トラブルに関する音声あるいは文字によるトラブル状態説明情報とを含む設備トラブル情報を送信する手段と、有し、
前記サーバコンピュータは、ゴルフコース毎の設備状態管理部を有し、
該設備状態管理部は、各ゴルフコースの設備状態を保存管理する手段と、前記メンテナンス情報送受信端末から送信された設備トラブル情報を取得する手段と、取得された設備トラブル情報と前記設備トラブル情報のあった該当箇所での保存された設備管理情報とを比較する手段と、前記比較結果に基づき設備トラブルに対応する処置方法を選択する手段と、有する、
ことを特徴とし、
または、
複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記サーバコンピュータ及び複数のメンテナンス情報送受信端末にはＧＰＳ機能が搭載されてなり、
前記メンテナンス情報送受信端末は、ゴルフコースの設備状態把握部を有し、
該設備状態把握部は、コース上に発生した設備トラブルの発生位置を把握する手段と、把握した発生位置での設備トラブルの画像を取得する手段と、前記設備トラブルに関する音声あるいは文字によるトラブル状態説明情報を入力する手段と、前記把握した発生位置情報、取得した設備トラブルの画像情報並びに前記入力した設備トラブルに関する音声あるいは文字によるトラブル状態説明情報とを含む設備トラブル情報を送信する手段と、有し、
前記サーバコンピュータは、ゴルフコース毎の設備状態管理部を有し、
該設備状態管理部は、各ゴルフコースの設備状態を保存管理する手段と、前記メンテナンス情報送受信端末から送信された設備トラブル情報を取得する手段と、取得された設備トラブル情報と前記設備トラブル情報のあった該当箇所での保存された設備管理情報とを比較する手段と、前記比較結果に基づき設備トラブルに対応する処置方法を選択する手段と、有する、
ことを特徴とし、
または、
前記複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記メンテナンス情報送受信端末は、ゴルフコースの芝状態把握部を有し、
該芝状態把握部は、コース上に発生した芝トラブルの発生位置を把握する手段と、把握した発生位置での芝トラブルの画像を取得する手段と、前記芝トラブルに関する音声あるいは文字によるトラブル状態説明情報を入力する手段と、前記把握した発生位置情報、取得した芝トラブルの画像情報並びに前記入力した芝トラブルに関する音声あるいは文字によるトラブル状態説明情報とを含む芝トラブル情報を送信する手段と、有し、
前記サーバコンピュータは、ゴルフコース毎の芝状態管理部を有し、
該芝状態管理部は、各ゴルフコースの芝状態を保存管理する手段と、前記メンテナンス情報送受信端末から送信された芝トラブル情報を取得する手段と、取得された芝トラブル情報と前記芝トラブル情報のあった該当箇所での保存された芝管理情報とを比較する手段と、前記比較結果に基づき芝トラブルに対応する処置方法を選択する手段と、有する、
ことを特徴とし、
または、
前記複数のゴルフコースのメンテナンス情報を管理するサーバコンピュータと、
前記サーバコンピュータと各ゴルフコースのメンテナンス情報を送受信する複数のメンテナンス情報送受信端末と、を有し、
前記サーバコンピュータ及び複数のメンテナンス情報送受信端末にはＧＰＳ機能が搭載されてなり、
前記メンテナンス情報送受信端末は、ゴルフコースの芝状態把握部を有し、
該芝状態把握部は、コース上に発生した芝トラブルの発生位置を把握する手段と、把握した発生位置での芝トラブルの画像を取得する手段と、前記芝トラブルに関する音声あるいは文字によるトラブル状態説明情報を入力する手段と、前記把握した発生位置情報、取得した芝トラブルの画像情報並びに前記入力した芝トラブルに関する音声あるいは文字によるトラブル状態説明情報とを含む芝トラブル情報を送信する手段と、有し、
前記サーバコンピュータは、ゴルフコース毎の芝状態管理部を有し、
該芝状態管理部は、各ゴルフコースの芝状態を保存管理する手段と、前記メンテナンス情報送受信端末から送信された芝トラブル情報を取得する手段と、取得された芝トラブル情報と前記芝トラブル情報のあった該当箇所での保存された芝管理情報とを比較する手段と、前記比較結果に基づき芝トラブルに対応する処置方法を選択する手段と、有する、
ことを特徴とし、
または、
前記サーバコンピュータは、各ゴルフコースのメンテナンス履歴を保存する手段と、前記トラブルに対応する処置方法を選択する手段により選択された処置方法を履歴として更新する手段と、を有する、
ことを特徴とし、
または、
前記メンテナンス情報送受信端末は、ゴルフコースの管理状態確認部を有し、
該ゴルフコースの管理状態確認部は、予め様式化された日報記録あるいは月報記録をデータとして保存する保存手段と、前記日報記録あるいは月報記録に設けられた確認チェック項目にチェック入力する手段と、前記各確認チェック項目にチェック入力された日報記録あるいは月報記録のデータをサーバコンピュータに送信する手段と、有し、
前記サーバコンピュータは、送信された各ゴルフコース毎の日報記録あるいは月報記録を一括管理する一括管理手段を有する、
ことを特徴とするものである。
【発明の効果】
【０００８】
本発明によるゴルフコースのメンテナンスシステムであれば、ＧＰＳ衛星電波受信に伴う現在地上位置情報の取得と共に、他の情報取得及び入力も含め機能的なＧＰＳ機能を搭載した端末機器、あるいは前記ＧＰＳ機能を搭載しないタイプの端末機器であったとしても、当該端末機器を利用して、ゴルフコースメンテナンスに必要な情報を収集すると共に、データベースとして蓄積し、コース状態情報をデータ化してコンピュータ等に蓄積することで、メンテナンスの現場や管理側で情報を共有し、効率的なメンテナンスを行うことができ、コース状態情報をコンピュータを介して一元管理可能なゴルフコースのメンテナンスシステムを提供できるとの優れた効果を奏する。
【発明を実施するための最良の形態】
【０００９】
以下、本発明を図に示す最良の実施の形態に基づいて説明する。
本発明によるゴルフコースのメンテナンスシステムは、図１から理解されるように、複数のゴルフ場における複数のゴルフコースのメンテナンス情報を一括管理するサーバコンピュータ１と、前記サーバコンピュータ１に各ゴルフ場における各ゴルフコースのメンテナンス情報を送受信する複数のメンテナンス情報送受信端末２・・・とを有し、これら複数のメンテナンス情報送受信端末２・・・とサーバコンピュータ１とがインターネットなどの通信回線網１５を介してデータを送受信する構成として形成されている。
【００１０】
そして、前記サーバコンピュータ１及び複数のメンテナンス情報送受信端末２・・・には予めＧＰＳ機能が搭載されている機器を使用するのが好ましいが、前記ＧＰＳ機能が搭載されていないタイプのメンテナンス情報送受信端末２であっても構わない。
前記ＧＰＳ機能が搭載されたメンテナンス情報送受信端末２の場合には、ＧＰＳ機能により現在位置情報を受信し、ゴルフ場あるいはゴルフコースを示す地図情報の上に現在位置などの情報が作成でき、取得できる。
しかし、ＧＰＳ機能が搭載されていないタイプのメンテナンス情報送受信端末２では、後述する管理作業員３６が前記ゴルフ場あるいはゴルフコースを示す地図情報の上での現在位置を自ら認識することになる。
【００１１】
ここで、メンテナンス情報送受信端末２の構成につき説明する。
該メンテナンス情報送受信端末２は、毎日所定のゴルフ場における各ゴルフコースを点検する例えば管理作業員３６などが携帯する様に構成される。
該メンテナンス情報送受信端末２は、図２などから理解される様に、画像を撮影して入力するカメラあるいは音声を入力するマイクさらには文字を入力する文字入力部などの入力部３、前記入力した画像や文字を表示する表示部４を有している。
さらに、インターネットなどの通信回線網１５を使用して情報の送受信を行う送受信部５、場合によってはＧＰＳ衛星からの位置情報を受信するＧＰＳレシーバ部６、ＣＰＵなどで構成される制御部７そしてメモリなどで構成される記憶部８等を有して構成されている。
【００１２】
そして、後述するように、本発明における一実施例では前記メンテナンス情報送受信端末２には芝把握部９などゴルフ場における各ゴルフコースの芝などの設備状態を瞬時に把握してサーバコンピュータ１に放置できる構成が採用されており、該芝把握部９の構成は、前記メンテナンス情報送受信端末２の制御部７などで動作、制御されるものとなっている。
【００１３】
ここで、本実施例では主に芝トラブルに対処すべく、芝把握部９として構成してあるが、本発明では芝トラブルに限らず、例えば、ゴルフコース内に設置されたスプリンクラー設備、あるいは配水管設備、あるいは各種のケーブル敷設設備などのいわゆる設備トラブルに対処するよう構成される。そして、この場合に、具体的実施例では芝把握部９としてではなく、各種の設備トラブル情報を送受信するために、設備把握部として構成されるものとなる。
【００１４】
まず、前記芝状態把握部９は、ゴルフのコース上に発生した芝トラブル、例えば芝が害虫に食い荒らされているとか、芝が外的原因により剥がれているとかの芝トラブル情報の発生位置を把握する発生位置把握部１０を有している。
該発生位置把握部１０は、例えば前記点検を行う管理作業員がゴルフのコースを調査し、芝トラブルが発生している箇所において、前記のＧＰＳレシーバ部６を操作して現在位置を取得し、その箇所を芝トラブル箇所として地点登録するものである（図７，図８参照）。
【００１５】
そして、前記地点登録された箇所において、例えば芝が害虫に食い荒らされているとか、芝が外的原因により剥がれているとかの芝トラブル情報を示す実際の芝トラブルの実際の画像がメンテナンス情報送受信端末２に搭載されているカメラ撮影部１１により取得されるものとなる。
さらに、前記芝トラブルに関する音声あるいは文字による詳細なトラブル状態説明情報が前記点検する管理作業員により説明情報入力部１２から入力される。従って、該当箇所の芝状態が画像だけではなく、音声や文字によって詳細に、かつ迅速にサーバコンピュータ１側へ報知することが出来る。
該入力は、音声については搭載されているマイクにより、文字についてはキーなどにより行われる
【００１６】
そして、前記発生位置把握部１０によって取得された、予め入力されているコースの地図情報上に地点登録され、把握された芝トラブルの発生位置情報、カメラ撮影部１１により取得された芝トラブルの画像情報並びに説明情報入力部１２により入力され、取得された芝トラブルに関する音声あるいは文字によるトラブル状態説明情報とを含む芝トラブル情報は、該端末２の送受信部５によりインターネットを介してサーバコンピュータ１へ送信されるものとなる。
【００１７】
ここで、図７乃至図１１に基づいて前記メンテナンス情報送受信端末２における芝把握部９の概略動作につき説明すると、図８は、例えばメンテナンス情報送受信端末２の表示部４に示されたデフォルト画面を示すものであり、電源を入れた直後のメンテナンス情報送受信端末２の初期画面が示されている。ここでは、登録されたコースマップがホールごとに表示されており、必要に応じてズームインやズームアウトが行えるものとなっている。この画面から、地点登録やカップ位置の登録に進むことができる。
【００１８】
ところで、管理作業員は、登録されたコースマップ上を例えば隈無く歩いてあるいはカートに乗車して点検するものであり、当該点検中に芝に関する問題点箇所を発見したとき、前記メンテナンス情報送受信端末２のカメラ撮影部１１を起動し、前記問題点箇所における芝対象物を撮影するのである（図７参照）。
ここで、カメラ撮影部１１での撮影は該当問題箇所を画像データにするためのものであり、モニターを見ながらの撮影が可能で、さらに撮影条件に合わせて明るさや鮮明度を調整することもできるものとなっている。
【００１９】
また、例えば、芝に関する問題が発生した場所の位置情報を登録するときには、図９に示す画面により、いわゆる当該問題箇所の地点登録を行う。
そして、例えば、「芝に関する問題の種類」や「芝に関する問題の内容」などを選択し、位置情報と共に、いわゆる地点登録する。
また前述した芝に関する問題箇所の撮影を行うと共に、必要に応じて、音声をデータ化したり、文字入力したりして、芝に関す問題の詳細を記録することが可能となっている。
そして、撮影が終了し位置情報が登録されると、図１１に示すように、登録地点がナンバリングされ（ここでは、ナンバー２とナンバリングされている）、そのナンバーがマップ上に表示されるものとなる。
【００２０】
次に、サーバコンピュータ１の構成及び動作につき説明する。
該サーバコンピュータ１の概略構成は前記メンテナンス情報送受信端末２の構成とほぼ同様である。すなわち、音声を入力するマイクさらには文字を入力する文字入力部などからなる入力部３、前記入力した文字などを表示する表示部４を有している。
さらに、インターネットなどの通信回線網１５を使用して情報の送受信を行う送受信部５、ＧＰＳ衛星からの位置情報を受信するＧＰＳレシーバ部６、ＣＰＵなどで構成される制御部７そして大容量のハードディスクやメモリなどで構成される記憶部８等を有して構成されている。
【００２１】
そして、サーバコンピュータ１の重要な機能であるゴルフ場における各ゴルフコースの芝状態の管理は前記制御部７等によって行われている。
すなわち、サーバコンピュータ１は、図４に示すように、例えば複数箇所のゴルフ場における複数箇所のゴルフコース毎に芝状態を管理する芝状態管理部１３を有している。
そして、該芝状態管理部１３は、各ゴルフコースの芝状態を連続して保存管理する芝状態保存管理部１４を有している。そして、該芝状態保存管理部１４に蓄積される芝状態の情報は、前記メンテナンス情報送受信端末２からの情報が入力され、その新しい情報が連続して蓄積されるものとなっている。
【００２２】
ここで、前記メンテナンス情報送受信端末２から送信された芝トラブル情報２３はインターネットなどの通信回線網１５を介し、送受信部５により連続的に受信できるもとなっている。
そして、前記送受信部５により取得された所定箇所での芝トラブル情報２３は、前記芝トラブル情報２３がもたらされた該当箇所で保存されている従前の芝管理情報３３と対比されるべく、芝管理情報比較部１６で比較されるものとなる。
【００２３】
そして、比較された結果、前記の芝トラブルにどのように対応するか否かの処置方法が予め記憶部８に保存されている処置方法データ１７から最適の処置方法が処置方法選択部１９により選択され、該選択された最適の処置方法が適用されるものとなる。
さらに、前記サーバコンピュータ１では、各ゴルフコースのメンテナンス履歴が記憶部８であるメンテナンス履歴部１８より抽出されて表示できるよう構成されてなると共に、前記メンテナンス履歴部１８に今回のメンテンス履歴を蓄積、更新できるよう構成されている。
【００２４】
この様に、本発明のシステムにおいては、前記したように、芝状態に関するメンテナンス情報の収集が簡単に、かつ継続的に行え、しかも後述するように、過去の病状を分析、解析などすることにより病虫害の予防などを一元化して管理できる構成となっている。
さらに、本発明のシステムでは、芝状態に関する管理情報の編集・追加が容易に出来るシステムとなっており、既に登録されている芝状態に関する管理情報を編集したり追加したりすることが容易に行える。そして、各ゴルフ場における各ゴルフコースの芝に対する所見や今後の対策方法などをも記述、付加していくことで、ゴルフ場におけるホールのカルテが作成できるものとなっている。
【００２５】
また、芝状態に関する管理情報など、本コース上で登録した問題点を前記サーバコンピュータ１あるいはメンテナンス情報受信端末２などで容易に閲覧出来るよう構成されており、もって、該当のコースにおける芝状態の病状・病名・登録日時・登録者のコメントなどが、画像と一緒に確認することができるよう構成されている。また、カレンダー機能を使って過去の履歴を簡単に振り返ることができ、ゴルフコースの管理プランニングに大いに役立つものとなっている。
ところで、前記メンテナンス情報送受信端末２は、各ゴルフ場の複数のゴルフコースの各種管理状態を容易に確認できるゴルフコース管理状態確認部２０をも有している。
【００２６】
ここで、該ゴルフコースの管理状態確認部２０は、図５から理解されるように、予め様式化された日報記録あるいは月報記録がデータとして保存してある日報、月報記録保存部２１と、入力チェック部２２とを有して構成されている。
前記日報記録あるいは月報記録は表示部４に表示されるが、前記日報記録あるいは月報記録には各々確認チェック項目が設けられており、入力チェック部２２により該確認チェック項目にチェック入力出来るよう構成されている。
そして、入力チェック部２２により前記各確認チェック項目にチェック入力された日報記録あるいは月報記録のデータは送受信部５によりサーバコンピュータ１の一括管理部３５に送信できるように構成されているのである。なお、メンテナンス情報送受信端末２側では、送受信部５によりサーバコンピュータ１とスムーズな送受信が可能であり、該サーバコンピュータ１の前記一括管理部３５から各種の管理状態の状況をも受信することが出来るようになっている。
【００２７】
しかして、前記サーバコンピュータ１では、送信された各ゴルフコース毎の日報記録あるいは月報記録のデータが一括管理部３５により一括管理されると共に、各種の状態の管理も前記一括管理部３５によって管理され、情報の蓄積、情報の更新がなされるものとなっている。
【００２８】
すなわち、図６から理解されるように、ゴルフ場におけるゴルフコースの各種状態の管理、すなわち病害虫・雑草防除管理部２４、処置記録の管理部２５、気象データの管理部２６、土壌の分析管理部２７、資材購入の管理部２８、各アイテムの在庫管理部２９、コース維持費計画の管理と実績の管理部３０、例えば芝の肥料に関する肥料成分表と成分投下量の自動計算部３１、管理機械の整備記録管理部３２などが前記一括管理部３５によって管理がなされることが可能となっているのである。
【図面の簡単な説明】
【００２９】
【図１】本発明の概略構成を説明する構成説明図である。
【図２】本発明によるメンテナンス情報送受信端末の概略構成を説明する構成説明図（その１）である。
【図３】本発明によるメンテナンス情報送受信端末の概略構成を説明する構成説明図（その２）である。
【図４】本発明によるサーバコンピュータの概略構成を説明する構成説明図（その１）である。
【図５】ゴルフコースの管理状態を確認する動作を説明する説明図である。
【図６】一括管理部の内容を説明する説明図である。
【図７】メンテナンス情報携帯端末の使用状態を説明する説明図である。
【図８】メンテナンス情報送受信端末の操作画面を説明する説明図（その１）である。
【図９】メンテナンス情報送受信端末の操作画面を説明する説明図（その２）である。
【図１０】メンテナンス情報送受信端末の操作画面を説明する説明図（その３）である。
【図１１】メンテナンス情報送受信端末の操作画面を説明する説明図（その４）である。
【符号の説明】
【００３０】
１      サーバコンピュータ
２      メンテナンス情報送受信端末
３      入力部
４      表示部
５      送受信部
６      ＧＰＳレシーバ部
７      制御部
８      記憶部
９      芝状態把握部
１０    発生位置把握部
１１    カメラ撮影部
１２    説明情報入力部
１３    芝状態管理部
１４    芝状態保存管理部
１５    通信回線網
１６    芝管理情報比較部
１７    処置方法データ
１８    メンテナンス履歴部
１９    処置方法選択部
２０    ゴルフコース管理状態確認部
２１    日報、減俸記録保存部
２２    入力チェック部  
２３    芝トラブル情報
２４    病害虫・雑草防除管理部
２５    処置記録の管理部
２６    気象データの管理部
２７    土壌の分析管理部
２８    資材購入の管理部
２９    各アイテムの在庫管理部
３０    コース維持費計画の管理と実績の管理部
３１    自動計算部
３２    整備記録管理部
３３    芝管理情報
３４    日報・月報管理部
３５    一括管理部
３６    管理作業員
【図１】
2009217697.tif 000003
【図２】
2009217697.tif 000004
【図３】
2009217697.tif 000005
【図４】
2009217697.tif 000006
【図５】
2009217697.tif 000007
【図６】
2009217697.tif 000008
【図７】
2009217697.tif 000009
【図８】
2009217697.tif 000010
【図９】
2009217697.tif 000011
【図１０】
2009217697.tif 000012
【図１１】
2009217697.tif 000013